【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
ネットワークエンティティにおけるワイヤレス通信のための方法であって、
無認可スペクトルにわたるワイヤレスワイドエリアネットワーク（ＷＷＡＮ）通信のためのサブフレーム構成を識別することと、前記サブフレーム構成は、送信バーストにおけるそれぞれのダウンリンクサブフレームがマルチキャストブロードキャスト単一周波数ネットワーク（ＭＢＳＦＮ）サブフレームに対応するか非ＭＢＳＦＮサブフレームに対応するかを示し、ここにおいて、
前記ＭＢＳＦＮサブフレームが、復調基準信号（ＤＭ−ＲＳ）に基づいて前記無認可スペクトルにわたる送信モードをサポートし、
前記非ＭＢＳＦＮサブフレームが、共通基準信号（ＣＲＳ）に基づいて前記無認可スペクトルにわたる送信モードをサポートする、
前記サブフレーム構成の表示を少なくとも１つのユーザ機器（ＵＥ）に送信することと
を備える方法。
【請求項２】
前記サブフレーム構成は、それぞれのダウンリンクサブフレームを含む、前記送信バーストにおける前記ダウンリンクサブフレームの数と、前記送信バーストにおけるアップリンクサブフレームの数とをさらに示す、請求項１に記載の方法。
【請求項３】
前記送信バーストにおける次のダウンリンクサブフレームに関連する次のサブフレーム構成を識別することをさらに備え、前記次のサブフレーム構成が、前記送信バーストにおけるダウンリンクまたはアップリンクサブフレームの修正された数を示す、請求項２に記載の方法。
【請求項４】
ワイヤレス通信のための装置であって、
無認可スペクトルにわたるワイヤレスワイドエリアネットワーク（ＷＷＡＮ）通信のためのサブフレーム構成を識別するための手段と、前記サブフレーム構成は、送信バーストにおけるそれぞれのダウンリンクサブフレームがマルチキャストブロードキャスト単一周波数ネットワーク（ＭＢＳＦＮ）サブフレームに対応するか非ＭＢＳＦＮサブフレームに対応するかを示し、ここにおいて、
前記ＭＢＳＦＮサブフレームが、復調基準信号（ＤＭ−ＲＳ）に基づいて前記無認可スペクトルにわたる送信モードをサポートし、
前記非ＭＢＳＦＮサブフレームが、共通基準信号（ＣＲＳ）に基づいて前記無認可スペクトルにわたる送信モードをサポートする、
前記サブフレーム構成の表示を少なくとも１つのユーザ機器（ＵＥ）に送信するための手段と
を備える装置。
【請求項５】
少なくとも１つのユーザ機器（ＵＥ）によるワイヤレス通信のための方法であって、
ネットワークエンティティから、無認可スペクトルにわたるワイヤレスワイドエリアネットワーク（ＷＷＡＮ）通信のためのサブフレーム構成の表示を受信することと、前記サブフレーム構成が、送信バーストにおける現在のダウンリンクサブフレームに関連する、
前記表示に基づいて前記現在のダウンリンクサブフレームがマルチキャストブロードキャスト単一周波数ネットワーク（ＭＢＳＦＮ）サブフレームであるか非ＭＢＳＦＮサブフレームであるかを決定することと
を備え、ここにおいて、
前記ＭＢＳＦＮサブフレームが、復調基準信号（ＤＭ−ＲＳ）に基づいて前記無認可スペクトルにわたる送信モードをサポートし、
前記非ＭＢＳＦＮサブフレームが、共通基準信号（ＣＲＳ）に基づいて前記無認可スペクトルにわたる送信モードをサポートする、方法。
【請求項６】
前記表示が、前記それぞれのダウンリンクサブフレーム中に少なくとも１つのＣＲＳシンボルを含む、請求項１または５に記載の方法。
【請求項７】
ＭＢＳＦＮサブフレーム中に存在するＣＲＳシンボルの数が、非ＭＢＳＦＮサブフレーム中に存在するＣＲＳシンボルの数とは異なる、請求項６に記載の方法。
【請求項８】
前記表示が、
物理制御フォーマットインジケータチャネル（ＰＣＦＩＣＨ）中の少なくとも１ビットと、
物理ハイブリッドＡＲＱインジケータチャネル（ＰＨＩＣＨ）中の少なくとも１ビットと、
物理ダウンリンク制御チャネル（ＰＤＣＣＨまたはＥＰＤＣＣＨ）中の少なくとも１ビットと、
レイヤ１シグナリングを使用して前記少なくとも１つのＵＥに割り当てられた少なくとも１ビットと
のうちの１つを含む、請求項１または５に記載の方法。
【請求項９】
前記サブフレーム構成は、それぞれのダウンリンクサブフレームを含む、前記送信バーストにおける前記ダウンリンクサブフレームの数と、前記送信バーストにおけるアップリンクサブフレームの数とをさらに示す、請求項５に記載の方法。
【請求項１０】
前記送信バーストにおける次のダウンリンクサブフレームに関連する次のサブフレーム構成を受信することをさらに備え、前記次のサブフレーム構成が、前記送信バーストにおけるダウンリンクまたはアップリンクサブフレームの修正された数を示す、請求項９に記載の方法。
【請求項１１】
前記送信バーストのＭＢＳＦＮサブフレームの比が０％から１００％にわたる、請求項１または５に記載の方法。
【請求項１２】
ワイヤレス通信のためのユーザ機器であって、
ネットワークエンティティから、無認可スペクトルにわたるワイヤレスワイドエリアネットワーク（ＷＷＡＮ）通信のためのサブフレーム構成の表示を受信するための手段と、前記サブフレーム構成が、送信バーストにおける現在のダウンリンクサブフレームに関連する、
前記表示に基づいて前記現在のダウンリンクサブフレームがマルチキャストブロードキャスト単一周波数ネットワーク（ＭＢＳＦＮ）サブフレームであるか非ＭＢＳＦＮサブフレームであるかを決定するための手段と
を備え、
前記ＭＢＳＦＮサブフレームが、復調基準信号（ＤＭ−ＲＳ）に基づいて前記無認可スペクトルにわたる送信モードをサポートし、
前記非ＭＢＳＦＮサブフレームが、共通基準信号（ＣＲＳ）に基づいて前記無認可スペクトルにわたる送信モードをサポートする、装置。
【請求項１３】
前記表示が、前記それぞれのダウンリンクサブフレーム中に少なくとも１つのＣＲＳシンボルを含む、請求項４または１２に記載の装置。
【請求項１４】
ＭＢＳＦＮサブフレーム中に存在するＣＲＳシンボルの数が、非ＭＢＳＦＮサブフレーム中に存在するＣＲＳシンボルの数とは異なる、請求項１３に記載の装置。
【請求項１５】
実行されたとき、ワイヤレス通信装置に、請求項１乃至３および請求項５乃至１１のいずれか一項に記載の方法を行わせる、ワイヤレス通信のための実行可能コードを記憶するコンピュータ可読媒体。
【手続補正２】
【補正対象書類名】明細書
【補正対象項目名】０１３３
【補正方法】変更
【補正の内容】
【０１３３】
[00147]上述の開示は、例示的な態様を示すが、様々な変形形態および変更形態が、添付の特許請求の範囲によって定義される本開示の範囲から逸脱することなく本明細書において作成可能であることに留意されたい。本明細書で説明した本開示の態様による方法クレームの機能、ステップおよび／またはアクションは、特定の順序で実施されなくてもよい。さらに、いくつかの態様は、単数形で説明または特許請求されていることがあるが、単数形に限定することが明示的に述べられていない限り、複数形が企図される。
以下に本願の出願当初の特許請求の範囲に記載された発明を付記する。
［Ｃ１］
ワイヤレス通信のための方法であって、
無認可スペクトルにわたるワイヤレスワイドエリアネットワーク（ＷＷＡＮ）通信のためのサブフレーム構成を識別することと、前記サブフレーム構成は、送信バーストにおけるそれぞれのダウンリンクサブフレームがマルチキャストブロードキャスト単一周波数ネットワーク（ＭＢＳＦＮ）サブフレームに対応するか非ＭＢＳＦＮサブフレームに対応するかを示す、
前記サブフレーム構成の表示を少なくとも１つのユーザ機器（ＵＥ）に送信することとを備える方法。
［Ｃ２］
前記ＭＢＳＦＮサブフレームが、復調基準信号（ＤＭ−ＲＳ）に基づいて前記無認可スペクトルにわたる送信モードをサポートし、
前記非ＭＢＳＦＮサブフレームが、共通基準信号（ＣＲＳ）に基づいて前記無認可スペクトルにわたる送信モードをサポートする、
Ｃ１に記載の方法。
［Ｃ３］
前記表示が、有効なダウンリンクサブフレームごとに送信される、Ｃ１に記載の方法。
［Ｃ４］
前記表示が、前記それぞれのダウンリンクサブフレーム中に少なくとも１つのＣＲＳシンボルを含む、Ｃ１に記載の方法。
［Ｃ５］
ＭＢＳＦＮサブフレーム中に存在するＣＲＳシンボルの数が、非ＭＢＳＦＮサブフレーム中に存在するＣＲＳシンボルの数とは異なる、Ｃ４に記載の方法。
［Ｃ６］
前記表示が、
物理制御フォーマットインジケータチャネル（ＰＣＦＩＣＨ）中の少なくとも１ビットと、
物理ハイブリッドＡＲＱインジケータチャネル（ＰＨＩＣＨ）中の少なくとも１ビットと、
物理ダウンリンク制御チャネル（ＰＤＣＣＨまたはＥＰＤＣＣＨ）中の少なくとも１ビットと、
レイヤ１シグナリングを使用して前記少なくとも１つのＵＥに割り当てられた少なくとも１ビットと
のうちの１つを含む、Ｃ１に記載の方法。
［Ｃ７］
前記サブフレーム構成は、それぞれのダウンリンクサブフレームを含む、前記送信バーストにおける前記ダウンリンクサブフレームの数と、前記送信バーストにおけるアップリンクサブフレームの数とをさらに示す、Ｃ１に記載の方法。
［Ｃ８］
前記送信バーストにおける次のダウンリンクサブフレームに関連する次のサブフレーム構成を識別することをさらに備え、前記次のサブフレーム構成が、前記送信バーストにおけるダウンリンクまたはアップリンクサブフレームの修正された数を示す、Ｃ７に記載の方法。
［Ｃ９］
前記送信バーストのＭＢＳＦＮサブフレームの比が０％から１００％にわたる、Ｃ１に記載の方法。
［Ｃ１０］
ワイヤレス通信のための装置であって、
無認可スペクトルにわたるワイヤレスワイドエリアネットワーク（ＷＷＡＮ）通信のためのサブフレーム構成を識別するための手段と、前記サブフレーム構成は、送信バーストにおけるそれぞれのダウンリンクサブフレームがマルチキャストブロードキャスト単一周波数ネットワーク（ＭＢＳＦＮ）サブフレームに対応するか非ＭＢＳＦＮサブフレームに対応するかを示す、
前記サブフレーム構成の表示を少なくとも１つのユーザ機器（ＵＥ）に送信するための手段と
を備える装置。
［Ｃ１１］
前記ＭＢＳＦＮサブフレームが、復調基準信号（ＤＭ−ＲＳ）に基づいて前記無認可スペクトルにわたる送信モードをサポートし、
前記非ＭＢＳＦＮサブフレームが、共通基準信号（ＣＲＳ）に基づいて前記無認可スペクトルにわたる送信モードをサポートする、
Ｃ１０に記載の装置。
［Ｃ１２］
前記表示が、有効なダウンリンクサブフレームごとに送信される、Ｃ１０に記載の装置。
［Ｃ１３］
前記表示が、前記それぞれのダウンリンクサブフレーム中に少なくとも１つのＣＲＳシンボルを含む、Ｃ１０に記載の装置。
［Ｃ１４］
ＭＢＳＦＮサブフレーム中に存在するＣＲＳシンボルの数が、非ＭＢＳＦＮサブフレーム中に存在するＣＲＳシンボルの数とは異なる、Ｃ１３に記載の装置。
［Ｃ１５］
前記表示が、
物理制御フォーマットインジケータチャネル（ＰＣＦＩＣＨ）中の少なくとも１ビットと、
物理ハイブリッドＡＲＱインジケータチャネル（ＰＨＩＣＨ）中の少なくとも１ビットと、
物理ダウンリンク制御チャネル（ＰＤＣＣＨまたはＥＰＤＣＣＨ）中の少なくとも１ビットと、
レイヤ１シグナリングを使用して前記少なくとも１つのＵＥに割り当てられた少なくとも１ビットと
のうちの１つを含む、Ｃ１０に記載の装置。
［Ｃ１６］
前記サブフレーム構成は、それぞれのダウンリンクサブフレームを含む、前記送信バーストにおける前記ダウンリンクサブフレームの数と、前記送信バーストにおけるアップリンクサブフレームの数とをさらに示す、Ｃ１０に記載の装置。
［Ｃ１７］
前記送信バーストにおける次のダウンリンクサブフレームに関連する次のサブフレーム構成を識別するための手段をさらに備え、前記次のサブフレーム構成が、前記送信バーストにおけるダウンリンクまたはアップリンクサブフレームの修正された数を示す、Ｃ１６に記載の装置。
［Ｃ１８］
前記送信バーストのＭＢＳＦＮサブフレームの比が０％から１００％にわたる、Ｃ１０に記載の装置。
［Ｃ１９］
トランシーバと、
データを記憶するように構成されたメモリと、
前記トランシーバおよび前記メモリに通信可能に結合されたプロセッサと
を備える、ワイヤレス通信のための装置であって、前記プロセッサおよび前記メモリは、  無認可スペクトルにわたるワイヤレスワイドエリアネットワーク（ＷＷＡＮ）通信のためのサブフレーム構成を識別することと、前記サブフレーム構成は、送信バーストにおけるそれぞれのダウンリンクサブフレームがマルチキャストブロードキャスト単一周波数ネットワーク（ＭＢＳＦＮ）サブフレームに対応するか非ＭＢＳＦＮサブフレームに対応するかを示す、
前記トランシーバを介して、前記サブフレーム構成の表示を少なくとも１つのユーザ機器（ＵＥ）に送信することと
を行うために前記データの少なくとも一部分を処理するための命令を実行するように構成された、装置。
［Ｃ２０］
前記ＭＢＳＦＮサブフレームが、復調基準信号（ＤＭ−ＲＳ）に基づいて前記無認可スペクトルにわたる送信モードをサポートし、
前記非ＭＢＳＦＮサブフレームが、共通基準信号（ＣＲＳ）に基づいて前記無認可スペクトルにわたる送信モードをサポートする、
Ｃ１９に記載の装置。
［Ｃ２１］
前記表示が、有効なダウンリンクサブフレームごとに送信される、Ｃ１９に記載の装置。
［Ｃ２２］
前記表示が、前記それぞれのダウンリンクサブフレーム中に少なくとも１つのＣＲＳシンボルを含む、Ｃ１９に記載の装置。
［Ｃ２３］
ＭＢＳＦＮサブフレーム中に存在するＣＲＳシンボルの数が、非ＭＢＳＦＮサブフレーム中に存在するＣＲＳシンボルの数とは異なる、Ｃ２２に記載の装置。
［Ｃ２４］
前記表示が、
物理制御フォーマットインジケータチャネル（ＰＣＦＩＣＨ）中の少なくとも１ビットと、
物理ハイブリッドＡＲＱインジケータチャネル（ＰＨＩＣＨ）中の少なくとも１ビットと、
物理ダウンリンク制御チャネル（ＰＤＣＣＨまたはＥＰＤＣＣＨ）中の少なくとも１ビットと、
レイヤ１シグナリングを使用して前記少なくとも１つのＵＥに割り当てられた少なくとも１ビットと
のうちの１つを含む、Ｃ１９に記載の装置。
［Ｃ２５］
前記サブフレーム構成は、それぞれのダウンリンクサブフレームを含む、前記送信バーストにおける前記ダウンリンクサブフレームの数と、前記送信バーストにおけるアップリンクサブフレームの数とをさらに示す、Ｃ１９に記載の装置。
［Ｃ２６］
前記プロセッサおよび前記メモリが、前記送信バーストにおける次のダウンリンクサブフレームに関連する次のサブフレーム構成を識別するようにさらに構成され、前記次のサブフレーム構成が、前記送信バーストにおけるダウンリンクまたはアップリンクサブフレームの修正された数を示す、Ｃ２５に記載の装置。
［Ｃ２７］
前記送信バーストのＭＢＳＦＮサブフレームの比が０％から１００％にわたる、Ｃ１９に記載の装置。
［Ｃ２８］
無認可スペクトルにわたるワイヤレスワイドエリアネットワーク（ＷＷＡＮ）通信のためのサブフレーム構成を識別するためのコードと、前記サブフレーム構成は、送信バーストにおけるそれぞれのダウンリンクサブフレームがマルチキャストブロードキャスト単一周波数ネットワーク（ＭＢＳＦＮ）サブフレームに対応するか非ＭＢＳＦＮサブフレームに対応するかを示す、
前記サブフレーム構成の表示を少なくとも１つのユーザ機器（ＵＥ）に送信するためのコードと
を備える、ワイヤレス通信のための実行可能コードを記憶するコンピュータ可読媒体。
［Ｃ２９］
前記ＭＢＳＦＮサブフレームが、復調基準信号（ＤＭ−ＲＳ）に基づいて前記無認可スペクトルにわたる送信モードをサポートし、
前記非ＭＢＳＦＮサブフレームが、共通基準信号（ＣＲＳ）に基づいて前記無認可スペクトルにわたる送信モードをサポートする、
Ｃ２８に記載のコンピュータ可読媒体。
［Ｃ３０］
前記表示が、有効なダウンリンクサブフレームごとに送信される、Ｃ２８に記載のコンピュータ可読媒体。
［Ｃ３１］
前記表示が、前記それぞれのダウンリンクサブフレーム中に少なくとも１つのＣＲＳシンボルを含む、Ｃ２８に記載のコンピュータ可読媒体。
［Ｃ３２］
ＭＢＳＦＮサブフレーム中に存在するＣＲＳシンボルの数が、非ＭＢＳＦＮサブフレーム中に存在するＣＲＳシンボルの数とは異なる、Ｃ３１に記載のコンピュータ可読媒体。
［Ｃ３３］
前記表示が、
物理制御フォーマットインジケータチャネル（ＰＣＦＩＣＨ）中の少なくとも１ビットと、
物理ハイブリッドＡＲＱインジケータチャネル（ＰＨＩＣＨ）中の少なくとも１ビットと、
物理ダウンリンク制御チャネル（ＰＤＣＣＨまたはＥＰＤＣＣＨ）中の少なくとも１ビットと、
レイヤ１シグナリングを使用して前記少なくとも１つのＵＥに割り当てられた少なくとも１ビットと
のうちの１つを含む、Ｃ２８に記載のコンピュータ可読媒体。
［Ｃ３４］
前記サブフレーム構成は、それぞれのダウンリンクサブフレームを含む、前記送信バーストにおける前記ダウンリンクサブフレームの数と、前記送信バーストにおけるアップリンクサブフレームの数とをさらに示す、Ｃ２８に記載のコンピュータ可読媒体。
［Ｃ３５］
前記送信バーストにおける次のダウンリンクサブフレームに関連する次のサブフレーム構成を識別するためのコードをさらに備え、前記次のサブフレーム構成が、前記送信バーストにおけるダウンリンクまたはアップリンクサブフレームの修正された数を示す、Ｃ３４に記載のコンピュータ可読媒体。
［Ｃ３６］
前記送信バーストのＭＢＳＦＮサブフレームの比が０％から１００％にわたる、Ｃ２８に記載のコンピュータ可読媒体。
［Ｃ３７］
ワイヤレス通信のための方法であって、
ネットワークエンティティから、無認可スペクトルにわたるワイヤレスワイドエリアネットワーク（ＷＷＡＮ）通信のためのサブフレーム構成の表示を受信することと、前記サブフレーム構成が、送信バーストにおける現在のダウンリンクサブフレームに関連する、  前記表示に基づいて前記現在のダウンリンクサブフレームがマルチキャストブロードキャスト単一周波数ネットワーク（ＭＢＳＦＮ）サブフレームであるか非ＭＢＳＦＮサブフレームであるかを決定することと
を備える方法。
［Ｃ３８］
前記ＭＢＳＦＮサブフレームが、復調基準信号（ＤＭ−ＲＳ）に基づいて前記無認可スペクトルにわたる送信モードをサポートし、
前記非ＭＢＳＦＮサブフレームが、共通基準信号（ＣＲＳ）に基づいて前記無認可スペクトルにわたる送信モードをサポートする、
Ｃ３７に記載の方法。
［Ｃ３９］
前記表示が、有効なダウンリンクサブフレームごとに前記ネットワークエンティティによって送信される、Ｃ３７に記載の方法。
［Ｃ４０］
前記表示が、前記それぞれのダウンリンクサブフレーム中に少なくとも１つのＣＲＳシンボルを含む、Ｃ３７に記載の方法。
［Ｃ４１］
ＭＢＳＦＮサブフレーム中に存在するＣＲＳシンボルの数が、非ＭＢＳＦＮサブフレーム中に存在するＣＲＳシンボルの数とは異なる、Ｃ４０に記載の方法。
［Ｃ４２］
前記表示が、
物理制御フォーマットインジケータチャネル（ＰＣＦＩＣＨ）中の少なくとも１ビットと、
物理ハイブリッドＡＲＱインジケータチャネル（ＰＨＩＣＨ）中の少なくとも１ビットと、
物理ダウンリンク制御チャネル（ＰＤＣＣＨまたはＥＰＤＣＣＨ）中の少なくとも１ビットと、
レイヤ１シグナリングを使用して前記少なくとも１つのＵＥに割り当てられた少なくとも１ビットと
のうちの１つを含む、Ｃ３７に記載の方法。
［Ｃ４３］
前記サブフレーム構成は、それぞれのダウンリンクサブフレームを含む、前記送信バーストにおける前記ダウンリンクサブフレームの数と、前記送信バーストにおけるアップリンクサブフレームの数とをさらに示す、Ｃ３７に記載の方法。
［Ｃ４４］
前記送信バーストにおける次のダウンリンクサブフレームに関連する次のサブフレーム構成を受信することをさらに備え、前記次のサブフレーム構成が、前記送信バーストにおけるダウンリンクまたはアップリンクサブフレームの修正された数を示す、Ｃ４３に記載の方法。
［Ｃ４５］
前記送信バーストのＭＢＳＦＮサブフレームの比が０％から１００％にわたる、Ｃ３７に記載の方法。
［Ｃ４６］
ワイヤレス通信のための装置であって、
ネットワークエンティティから、無認可スペクトルにわたるワイヤレスワイドエリアネットワーク（ＷＷＡＮ）通信のためのサブフレーム構成の表示を受信するための手段と、前記サブフレーム構成が、送信バーストにおける現在のダウンリンクサブフレームに関連する、
前記表示に基づいて前記現在のダウンリンクサブフレームがマルチキャストブロードキャスト単一周波数ネットワーク（ＭＢＳＦＮ）サブフレームであるか非ＭＢＳＦＮサブフレームであるかを決定するための手段と
を備える装置。
［Ｃ４７］
前記ＭＢＳＦＮサブフレームが、復調基準信号（ＤＭ−ＲＳ）に基づいて前記無認可スペクトルにわたる送信モードをサポートし、
前記非ＭＢＳＦＮサブフレームが、共通基準信号（ＣＲＳ）に基づいて前記無認可スペクトルにわたる送信モードをサポートする、
Ｃ４６に記載の装置。
［Ｃ４８］
前記表示が、有効なダウンリンクサブフレームごとに前記ネットワークエンティティによって送信される、Ｃ４６に記載の装置。
［Ｃ４９］
前記表示が、前記それぞれのダウンリンクサブフレーム中に少なくとも１つのＣＲＳシンボルを含む、Ｃ４６に記載の装置。
［Ｃ５０］
ＭＢＳＦＮサブフレーム中に存在するＣＲＳシンボルの数が、非ＭＢＳＦＮサブフレーム中に存在するＣＲＳシンボルの数とは異なる、Ｃ４９に記載の装置。
［Ｃ５１］
前記表示が、
物理制御フォーマットインジケータチャネル（ＰＣＦＩＣＨ）中の少なくとも１ビットと、
物理ハイブリッドＡＲＱインジケータチャネル（ＰＨＩＣＨ）中の少なくとも１ビットと、
物理ダウンリンク制御チャネル（ＰＤＣＣＨまたはＥＰＤＣＣＨ）中の少なくとも１ビットと、
レイヤ１シグナリングを使用して前記少なくとも１つのＵＥに割り当てられた少なくとも１ビットと
のうちの１つを含む、Ｃ４６に記載の装置。
［Ｃ５２］
前記サブフレーム構成は、それぞれのダウンリンクサブフレームを含む、前記送信バーストにおける前記ダウンリンクサブフレームの数と、前記送信バーストにおけるアップリンクサブフレームの数とをさらに示す、Ｃ４６に記載の装置。
［Ｃ５３］
前記送信バーストにおける次のダウンリンクサブフレームに関連する次のサブフレーム構成を受信するための手段をさらに備え、前記次のサブフレーム構成が、前記送信バーストにおけるダウンリンクまたはアップリンクサブフレームの修正された数を示す、Ｃ５２に記載の装置。
［Ｃ５４］
前記送信バーストのＭＢＳＦＮサブフレームの比が０％から１００％にわたる、Ｃ４６に記載の装置。
［Ｃ５５］
トランシーバと、
データを記憶するように構成されたメモリと、
前記トランシーバおよび前記メモリに通信可能に結合されたプロセッサと
を備える、ワイヤレス通信のための装置であって、前記プロセッサおよび前記メモリは、  前記トランシーバを介しておよびネットワークエンティティから、無認可スペクトルにわたるワイヤレスワイドエリアネットワーク（ＷＷＡＮ）通信のためのサブフレーム構成の表示を受信することと、前記サブフレーム構成が、送信バーストにおける現在のダウンリンクサブフレームに関連する、
前記表示に基づいて前記現在のダウンリンクサブフレームがマルチキャストブロードキャスト単一周波数ネットワーク（ＭＢＳＦＮ）サブフレームであるか非ＭＢＳＦＮサブフレームであるかを決定することと
を行うために前記データの少なくとも一部分を処理するための命令を実行するように構成された、装置。
［Ｃ５６］
前記ＭＢＳＦＮサブフレームが、復調基準信号（ＤＭ−ＲＳ）に基づいて前記無認可スペクトルにわたる送信モードをサポートし、
前記非ＭＢＳＦＮサブフレームが、共通基準信号（ＣＲＳ）に基づいて前記無認可スペクトルにわたる送信モードをサポートする、
Ｃ５５に記載の装置。
［Ｃ５７］
前記表示が、有効なダウンリンクサブフレームごとに前記ネットワークエンティティによって送信される、Ｃ５５に記載の装置。
［Ｃ５８］
前記表示が、前記それぞれのダウンリンクサブフレーム中に少なくとも１つのＣＲＳシンボルを含む、Ｃ５５に記載の装置。
［Ｃ５９］
ＭＢＳＦＮサブフレーム中に存在するＣＲＳシンボルの数が、非ＭＢＳＦＮサブフレーム中に存在するＣＲＳシンボルの数とは異なる、Ｃ５８に記載の装置。
［Ｃ６０］
前記表示が、
物理制御フォーマットインジケータチャネル（ＰＣＦＩＣＨ）中の少なくとも１ビットと、
物理ハイブリッドＡＲＱインジケータチャネル（ＰＨＩＣＨ）中の少なくとも１ビットと、
物理ダウンリンク制御チャネル（ＰＤＣＣＨまたはＥＰＤＣＣＨ）中の少なくとも１ビットと、
レイヤ１シグナリングを使用して前記少なくとも１つのＵＥに割り当てられた少なくとも１ビットと
のうちの１つを含む、Ｃ５５に記載の装置。
［Ｃ６１］
前記サブフレーム構成は、それぞれのダウンリンクサブフレームを含む、前記送信バーストにおける前記ダウンリンクサブフレームの数と、前記送信バーストにおけるアップリンクサブフレームの数とをさらに示す、Ｃ５５に記載の装置。
［Ｃ６２］
前記プロセッサおよび前記メモリが、前記送信バーストにおける次のダウンリンクサブフレームに関連する次のサブフレーム構成を受信するようにさらに構成され、前記次のサブフレーム構成が、前記送信バーストにおけるダウンリンクまたはアップリンクサブフレームの修正された数を示す、Ｃ６１に記載の装置。
［Ｃ６３］
前記送信バーストのＭＢＳＦＮサブフレームの比が０％から１００％にわたる、Ｃ５５に記載の装置。
［Ｃ６４］
ネットワークエンティティから、無認可スペクトルにわたるワイヤレスワイドエリアネットワーク（ＷＷＡＮ）通信のためのサブフレーム構成の表示を受信するためのコードと、前記サブフレーム構成が、送信バーストにおける現在のダウンリンクサブフレームに関連する、
前記表示に基づいて前記現在のダウンリンクサブフレームがマルチキャストブロードキャスト単一周波数ネットワーク（ＭＢＳＦＮ）サブフレームであるか非ＭＢＳＦＮサブフレームであるかを決定するためのコードと
を備える、ワイヤレス通信のための実行可能コードを記憶するコンピュータ可読媒体。
［Ｃ６５］
前記ＭＢＳＦＮサブフレームが、復調基準信号（ＤＭ−ＲＳ）に基づいて前記無認可スペクトルにわたる送信モードをサポートし、
前記非ＭＢＳＦＮサブフレームが、共通基準信号（ＣＲＳ）に基づいて前記無認可スペクトルにわたる送信モードをサポートする、
Ｃ６４に記載のコンピュータ可読媒体。
［Ｃ６６］
前記表示が、有効なダウンリンクサブフレームごとに前記ネットワークエンティティによって送信される、Ｃ６４に記載のコンピュータ可読媒体。
［Ｃ６７］
前記表示が、前記それぞれのダウンリンクサブフレーム中に少なくとも１つのＣＲＳシンボルを含む、Ｃ６４に記載のコンピュータ可読媒体。
［Ｃ６８］
ＭＢＳＦＮサブフレーム中に存在するＣＲＳシンボルの数が、非ＭＢＳＦＮサブフレーム中に存在するＣＲＳシンボルの数とは異なる、Ｃ６７に記載のコンピュータ可読媒体。
［Ｃ６９］
前記表示が、
物理制御フォーマットインジケータチャネル（ＰＣＦＩＣＨ）中の少なくとも１ビットと、
物理ハイブリッドＡＲＱインジケータチャネル（ＰＨＩＣＨ）中の少なくとも１ビットと、
物理ダウンリンク制御チャネル（ＰＤＣＣＨまたはＥＰＤＣＣＨ）中の少なくとも１ビットと、
レイヤ１シグナリングを使用して前記少なくとも１つのＵＥに割り当てられた少なくとも１ビットと
のうちの１つを含む、Ｃ６４に記載のコンピュータ可読媒体。
［Ｃ７０］
前記サブフレーム構成は、それぞれのダウンリンクサブフレームを含む、前記送信バーストにおける前記ダウンリンクサブフレームの数と、前記送信バーストにおけるアップリンクサブフレームの数とをさらに示す、Ｃ６４に記載のコンピュータ可読媒体。
［Ｃ７１］
前記送信バーストにおける次のダウンリンクサブフレームに関連する次のサブフレーム構成を受信するためのコードをさらに備え、前記次のサブフレーム構成が、前記送信バーストにおけるダウンリンクまたはアップリンクサブフレームの修正された数を示す、Ｃ７０に記載のコンピュータ可読媒体。
［Ｃ７２］
前記送信バーストのＭＢＳＦＮサブフレームの比が０％から１００％にわたる、Ｃ６４に記載のコンピュータ可読媒体。
［Ｃ７３］
ワイヤレス通信のための方法であって、
無認可スペクトルにわたるワイヤレスワイドエリアネットワーク（ＷＷＡＮ）通信に関連するチャネル状態情報（ＣＳＩ）のための非周期的に送信されるリソースを識別することと、
ユーザ機器（ＵＥ）のセットに前記リソースの表示と非周期的ＣＳＩ報告についての要求とを送信することと
を備える方法。
［Ｃ７４］
前記表示を送信することが、前記リソースを有する前記サブフレームの少なくとも１サブフレーム前に、前記表示を送信することを備える、Ｃ７３に記載の方法。
［Ｃ７５］
前記サブフレーム中にスケジュールされたＵＥによるレートマッチングのための１つまたは複数のＣＳＩリソースの存在についての第２の表示を送信することをさらに備える、Ｃ７３に記載の方法。
［Ｃ７６］
前記リソースが、ＣＳＩ基準信号（ＣＳＩ−ＲＳ）リソースまたはＣＳＩ干渉測定（ＣＳＩ−ＩＭ）リソースの一方または両方を含む、Ｃ７３に記載の方法。
［Ｃ７７］
ワイヤレス通信のための装置であって、
無認可スペクトルにわたるワイヤレスワイドエリアネットワーク（ＷＷＡＮ）通信に関連するチャネル状態情報（ＣＳＩ）のためのリソースを識別するための手段と、
ユーザ機器（ＵＥ）のセットに前記リソースの表示と非周期的ＣＳＩ報告についての要求とを送信するための手段と
を備える装置。
［Ｃ７８］
前記表示を送信するための前記手段が、前記リソースを有する前記サブフレームの少なくとも１サブフレーム前に、前記表示を送信するための手段を備える、Ｃ７７に記載の装置。
［Ｃ７９］
前記サブフレーム中にスケジュールされたＵＥによるレートマッチングのための１つまたは複数のＣＳＩリソースの存在についての第２の表示を送信するための手段をさらに備える、Ｃ７７に記載の装置。
［Ｃ８０］
前記リソースが、ＣＳＩ基準信号（ＣＳＩ−ＲＳ）リソースまたはＣＳＩ干渉測定（ＣＳＩ−ＩＭ）リソースの一方または両方を含む、Ｃ７７に記載の装置。
［Ｃ８１］
トランシーバと、
データを記憶するように構成されたメモリと、
前記トランシーバおよび前記メモリに通信可能に結合されたプロセッサと
無認可スペクトルにわたるワイヤレスワイドエリアネットワーク（ＷＷＡＮ）通信に関連するチャネル状態情報（ＣＳＩ）のためのリソースを識別することと、
を備える、ワイヤレス通信のための装置であって、前記プロセッサおよび前記メモリは、  前記トランシーバを介して、ユーザ機器（ＵＥ）のセットに前記リソースの表示と非周期的ＣＳＩ報告についての要求とを送信することと
を行うために前記データの少なくとも一部分を処理するための命令を実行するように構成された、装置。
［Ｃ８２］
前記表示を送信するように構成された前記プロセッサおよび前記メモリが、前記リソースを有する前記サブフレームの少なくとも１サブフレーム前に、前記表示を送信するようにさらに構成された、Ｃ８１に記載の装置。
［Ｃ８３］
前記プロセッサおよび前記メモリが、前記サブフレーム中にスケジュールされたＵＥによるレートマッチングのための１つまたは複数のＣＳＩリソースの存在についての第２の表示を送信するようにさらに構成された、Ｃ８１に記載の装置。
［Ｃ８４］
前記リソースが、ＣＳＩ基準信号（ＣＳＩ−ＲＳ）リソースまたはＣＳＩ干渉測定（ＣＳＩ−ＩＭ）リソースの一方または両方を含む、Ｃ８１に記載の装置。
［Ｃ８５］
無認可スペクトルにわたるワイヤレスワイドエリアネットワーク（ＷＷＡＮ）通信に関連するチャネル状態情報（ＣＳＩ）のためのリソースを識別するためのコードと、
ユーザ機器（ＵＥ）のセットに前記リソースの表示と非周期的ＣＳＩ報告についての要求とを送信するためのコードと
を備える、ワイヤレス通信のための実行可能コードを記憶するコンピュータ可読媒体。
［Ｃ８６］
前記表示を送信するための前記コードが、前記リソースを有する前記サブフレームの少なくとも１サブフレーム前に、前記表示を送信するためのコードを備える、Ｃ８５に記載のコンピュータ可読媒体。
［Ｃ８７］
前記サブフレーム中にスケジュールされたＵＥによるレートマッチングのための１つまたは複数のＣＳＩリソースの存在についての第２の表示を送信するためのコードをさらに備える、Ｃ８５に記載のコンピュータ可読媒体。
［Ｃ８８］
前記リソースが、ＣＳＩ基準信号（ＣＳＩ−ＲＳ）リソースまたはＣＳＩ干渉測定（ＣＳＩ−ＩＭ）リソースの一方または両方を含む、Ｃ８５に記載のコンピュータ可読媒体。
［Ｃ８９］
ワイヤレス通信のための方法であって、
ネットワークエンティティから、無認可スペクトルにわたるワイヤレスワイドエリアネットワーク（ＷＷＡＮ）通信に関連するチャネル状態情報（ＣＳＩ）のための非周期的に送信されるリソースの表示と、非周期的ＣＳＩ報告についての要求とを受信することと、  前記リソースの前記表示に少なくとも部分的に基づいてＣＳＩ測定および前記非周期的ＣＳＩ報告を実施することと
を備える方法。
［Ｃ９０］
前記表示を受信することが、前記リソースを有する前記サブフレームの少なくとも１サブフレーム前に、前記表示を受信することを備える、Ｃ８９に記載の方法。
［Ｃ９１］
前記サブフレーム中にスケジュールされたＵＥによるレートマッチングのための１つまたは複数のＣＳＩリソースの存在についての第２の表示を受信することをさらに備える、Ｃ８９に記載の方法。
［Ｃ９２］
前記リソースが、ＣＳＩ基準信号（ＣＳＩ−ＲＳ）リソースまたはＣＳＩ干渉測定（ＣＳＩ−ＩＭ）リソースの一方または両方を含む、Ｃ８９に記載の方法。
［Ｃ９３］
ワイヤレス通信のための装置であって、
ネットワークエンティティから、無認可スペクトルにわたるワイヤレスワイドエリアネットワーク（ＷＷＡＮ）通信に関連するチャネル状態情報（ＣＳＩ）のためのリソースの表示と、非周期的ＣＳＩ報告についての要求とを受信するための手段と、
前記リソースの前記表示に少なくとも部分的に基づいてＣＳＩ測定および前記非周期的ＣＳＩ報告を実施するための手段と
を備える装置。
［Ｃ９４］
前記表示を受信するための前記手段が、前記リソースを有する前記サブフレームの少なくとも１サブフレーム前に、前記表示を受信するための手段を備える、Ｃ９３に記載の装置。
［Ｃ９５］
前記サブフレーム中にスケジュールされたＵＥによるレートマッチングのための１つまたは複数のＣＳＩリソースの存在についての第２の表示を受信するための手段をさらに備える、Ｃ９３に記載の装置。
［Ｃ９６］
前記リソースが、ＣＳＩ基準信号（ＣＳＩ−ＲＳ）リソースまたはＣＳＩ干渉測定（ＣＳＩ−ＩＭ）リソースの一方または両方を含む、Ｃ９３に記載の装置。
［Ｃ９７］
トランシーバと、
データを記憶するように構成されたメモリと、
前記トランシーバおよび前記メモリに通信可能に結合されたプロセッサと
を備える、ワイヤレス通信のための装置であって、前記プロセッサおよび前記メモリは、
前記トランシーバを介しておよびネットワークエンティティから、無認可スペクトルにわたるワイヤレスワイドエリアネットワーク（ＷＷＡＮ）通信に関連するチャネル状態情報（ＣＳＩ）のためのリソースの表示と、非周期的ＣＳＩ報告についての要求とを受信するための手段と、
前記リソースの前記表示に少なくとも部分的に基づいてＣＳＩ測定および前記非周期的ＣＳＩ報告を実施するための手段と
のために前記データの少なくとも一部分を処理するための命令を実行するように構成された、装置。
［Ｃ９８］
前記表示を受信するように構成された前記プロセッサおよび前記メモリが、前記リソースを有する前記サブフレームの少なくとも１サブフレーム前に、前記表示を受信するようにさらに構成された、Ｃ９７に記載の装置。
［Ｃ９９］
前記プロセッサおよび前記メモリが、前記サブフレーム中にスケジュールされたＵＥによるレートマッチングのための１つまたは複数のＣＳＩリソースの存在についての第２の表示を受信するように構成された、Ｃ９７に記載の装置。
［Ｃ１００］
前記リソースが、ＣＳＩ基準信号（ＣＳＩ−ＲＳ）リソースまたはＣＳＩ干渉測定（ＣＳＩ−ＩＭ）リソースの一方または両方を含む、Ｃ９７に記載の装置。
［Ｃ１０１］
ネットワークエンティティから、無認可スペクトルにわたるワイヤレスワイドエリアネットワーク（ＷＷＡＮ）通信に関連するチャネル状態情報（ＣＳＩ）のためのリソースの表示と、非周期的ＣＳＩ報告についての要求とを受信するためのコードと、
前記リソースの前記表示に少なくとも部分的に基づいてＣＳＩ測定および前記非周期的ＣＳＩ報告を実施するためのコードと
を備える、ワイヤレス通信のための実行可能コードを記憶するコンピュータ可読媒体。
［Ｃ１０２］
前記表示を受信するための前記コードが、前記リソースを有する前記サブフレームの少なくとも１サブフレーム前に、前記表示を受信するためのコードを備える、Ｃ１０１に記載のコンピュータ可読媒体。
［Ｃ１０３］
前記サブフレーム中にスケジュールされたＵＥによるレートマッチングのための１つまたは複数のＣＳＩリソースの存在についての第２の表示を受信するためのコードをさらに備える、Ｃ１０１に記載のコンピュータ可読媒体。
［Ｃ１０４］
前記リソースが、ＣＳＩ基準信号（ＣＳＩ−ＲＳ）リソースまたはＣＳＩ干渉測定（ＣＳＩ−ＩＭ）リソースの一方または両方を含む、Ｃ１０１に記載のコンピュータ可読媒体。
［Ｃ１０５］
ワイヤレス通信のための方法であって、
ユーザ機器（ＵＥ）が無認可スペクトルにわたって１つまたは複数のキャリアを扱うために前記無認可スペクトルにおいて間欠受信（ＤＲＸ）ＯＦＦ期間からウェイクアップすべきであると決定することと、
前記無認可スペクトルにおいて前記ＤＲＸ  ＯＦＦ期間からウェイクアップするように、認可スペクトル中のキャリアを介して前記ＵＥに表示を送信することと
を備える方法。
［Ｃ１０６］
前記表示は、前記ＵＥが前記認可スペクトルにおいて前記ＤＲＸ  ＯＦＦ期間からウェイクアップした後に前記表示が前記ＵＥによって受信されるように送信される、Ｃ１０５に記載の方法。
［Ｃ１０７］
前記表示が、ダウンリンク（ＤＬ）許可を伴う明示的表示または暗黙的表示である、Ｃ１０５に記載の方法。
［Ｃ１０８］
前記表示が、前記無認可スペクトル中の構成されたキャリアのサブセットのみをウェイクアップすることである、Ｃ１０５に記載の方法。
［Ｃ１０９］
ワイヤレス通信のための装置であって、
ユーザ機器（ＵＥ）が無認可スペクトルにわたって１つまたは複数のキャリアを扱うために前記無認可スペクトルにおいて間欠受信（ＤＲＸ）ＯＦＦ期間からウェイクアップすべきであると決定するための手段と、
前記無認可スペクトルにおいて前記ＤＲＸ  ＯＦＦ期間からウェイクアップするように、認可スペクトル中のキャリアを介して前記ＵＥに表示を送信するための手段と
を備える装置。
［Ｃ１１０］
前記表示は、前記ＵＥが前記認可スペクトルにおいて前記ＤＲＸ  ＯＦＦ期間からウェイクアップした後に前記表示が前記ＵＥによって受信されるように送信される、Ｃ１０９に記載の装置。
［Ｃ１１１］
前記表示が、ダウンリンク（ＤＬ）許可を伴う明示的表示または暗黙的表示である、Ｃ１０９に記載の装置。
［Ｃ１１２］
前記表示が、前記無認可スペクトル中の構成されたキャリアのサブセットのみをウェイクアップすることである、Ｃ１０９に記載の装置。
［Ｃ１１３］
トランシーバと、
データを記憶するように構成されたメモリと、
前記トランシーバおよび前記メモリに通信可能に結合されたプロセッサと
を備える、ワイヤレス通信のための装置であって、前記プロセッサおよび前記メモリは、  ユーザ機器（ＵＥ）が無認可スペクトルにわたって１つまたは複数のキャリアを扱うために前記無認可スペクトルにおいて間欠受信（ＤＲＸ）ＯＦＦ期間からウェイクアップすべきであると決定することと、
前記無認可スペクトルにおいて前記ＤＲＸ  ＯＦＦ期間からウェイクアップするように、認可スペクトル中のキャリアおよび前記トランシーバを介して前記ＵＥに表示を送信することと
を行うために前記データの少なくとも一部分を処理するための命令を実行するように構成された、装置。
［Ｃ１１４］
前記表示は、前記ＵＥが前記認可スペクトルにおいて前記ＤＲＸ  ＯＦＦ期間からウェイクアップした後に前記表示が前記ＵＥによって受信されるように送信される、Ｃ１０５に記載の装置。
［Ｃ１１５］
前記表示が、ダウンリンク（ＤＬ）許可を伴う明示的表示または暗黙的表示である、Ｃ１０５に記載の装置。
［Ｃ１１６］
前記表示が、前記無認可スペクトル中の構成されたキャリアのサブセットのみをウェイクアップすることである、Ｃ１０５に記載の装置。
［Ｃ１１７］
ユーザ機器（ＵＥ）が無認可スペクトルにわたって１つまたは複数のキャリアを扱うために前記無認可スペクトルにおいて間欠受信（ＤＲＸ）ＯＦＦ期間からウェイクアップすべきであると決定するためのコードと、
前記無認可スペクトルにおいて前記ＤＲＸ  ＯＦＦ期間からウェイクアップするための表示を認可スペクトル中のキャリアを介して前記ＵＥに送信するためのコードと
を備える、ワイヤレス通信のための実行可能コードを記憶するコンピュータ可読媒体。
［Ｃ１１８］
前記表示は、前記ＵＥが前記認可スペクトルにおいて前記ＤＲＸ  ＯＦＦ期間からウェイクアップした後に前記表示が前記ＵＥによって受信されるように送信される、Ｃ１１７に記載のコンピュータ可読媒体。
［Ｃ１１９］
前記表示が、ダウンリンク（ＤＬ）許可を伴う明示的表または暗黙的表示である、Ｃ１１７に記載のコンピュータ可読媒体。
［Ｃ１２０］
前記表示が、前記無認可スペクトル中の構成されたキャリアのサブセットのみをウェイクアップすることである、Ｃ１１７に記載のコンピュータ可読媒体。
［Ｃ１２１］
ワイヤレス通信のための方法であって、
ユーザ機器（ＵＥ）においておよび認可スペクトル中のキャリアを介して、前記ＵＥが無認可スペクトルにわたって１つまたは複数のキャリアを扱うために前記無認可スペクトルにおいて間欠受信（ＤＲＸ）ＯＦＦ期間からウェイクアップすべきであるという表示を受信することと、
前記表示を受信したことに応答して、前記無認可スペクトルにおいて前記ＤＲＸ  ＯＦＦ期間からウェイクアップすることと
を備える方法。
［Ｃ１２２］
前記ＵＥが前記認可スペクトルにおいて前記ＤＲＸ  ＯＦＦ期間からウェイクアップした後に前記表示が前記ＵＥによって受信される、Ｃ１２１に記載の方法。
［Ｃ１２３］
前記表示が、ダウンリンク（ＤＬ）許可を伴う明示的表示または暗黙的表示である、Ｃ１２１に記載の方法。
［Ｃ１２４］
前記表示が、前記無認可スペクトル中の構成されたキャリアのサブセットのみをウェイクアップすることである、Ｃ１２１に記載の方法。
［Ｃ１２５］
ワイヤレス通信のための装置であって、
ユーザ機器（ＵＥ）においておよび認可スペクトル中のキャリアを介して、前記ＵＥが無認可スペクトルにわたって１つまたは複数のキャリアを扱うために前記無認可スペクトルにおいて間欠受信（ＤＲＸ）ＯＦＦ期間からウェイクアップすべきであるという表示を受信するための手段と、
前記表示を受信したことに応答して、前記無認可スペクトルにおいて前記ＤＲＸ  ＯＦＦ期間からウェイクアップするための手段と
を備える装置。
［Ｃ１２６］
前記ＵＥが前記認可スペクトルにおいて前記ＤＲＸ  ＯＦＦ期間からウェイクアップした後に前記表示が前記ＵＥによって受信される、Ｃ１２５に記載の装置。
［Ｃ１２７］
前記表示が、ダウンリンク（ＤＬ）許可を伴う明示的表示または暗黙的表示である、Ｃ１２５に記載の装置。
［Ｃ１２８］
前記表示が、前記無認可スペクトル中の構成されたキャリアのサブセットのみをウェイクアップすることである、Ｃ１２５に記載の装置。
［Ｃ１２９］
トランシーバと、
データを記憶するように構成されたメモリと、
前記トランシーバおよび前記メモリに通信可能に結合されたプロセッサと
を備える、ワイヤレス通信のための装置であって、前記プロセッサおよび前記メモリは、
ユーザ機器（ＵＥ）においておよび認可スペクトル中のキャリアを介して、前記ＵＥが無認可スペクトルにわたって１つまたは複数のキャリアを扱うために前記無認可スペクトルにおいて間欠受信（ＤＲＸ）ＯＦＦ期間からウェイクアップすべきであるという表示を受信することと、
前記表示を受信したことに応答して、前記無認可スペクトルにおいて前記ＤＲＸ  ＯＦＦ期間からウェイクアップすることと
を行うために前記データの少なくとも一部分を処理するための命令を実行するように構成された、装置。
［Ｃ１３０］
前記ＵＥが前記認可スペクトルにおいて前記ＤＲＸ  ＯＦＦ期間からウェイクアップした後に前記表示が前記ＵＥによって受信される、Ｃ１２９に記載の装置。
［Ｃ１３１］
前記表示が、ダウンリンク（ＤＬ）許可を伴う明示的表示または暗黙的表示である、Ｃ１２９に記載の装置。
［Ｃ１３２］
前記表示が、前記無認可スペクトル中の構成されたキャリアのサブセットのみをウェイクアップすることである、Ｃ１２９に記載の装置。
［Ｃ１３３］
ユーザ機器（ＵＥ）においておよび認可スペクトル中のキャリアを介して、前記ＵＥが無認可スペクトルにわたって１つまたは複数のキャリアを扱うために前記無認可スペクトルにおいて間欠受信（ＤＲＸ）ＯＦＦ期間からウェイクアップすべきであるという表示を受信するためのコードと、
前記表示を受信したことに応答して、前記無認可スペクトルにおいて前記ＤＲＸ  ＯＦＦ期間からウェイクアップするためのコードと
を備える、ワイヤレス通信のための実行可能コードを記憶するコンピュータ可読媒体。
［Ｃ１３４］
前記ＵＥが前記認可スペクトルにおいて前記ＤＲＸ  ＯＦＦ期間からウェイクアップした後に前記表示が前記ＵＥによって受信される、Ｃ１３３に記載のコンピュータ可読媒体。
［Ｃ１３５］
前記表示が、ダウンリンク（ＤＬ）許可を伴う明示的表示または暗黙的表示である、Ｃ１３３に記載のコンピュータ可読媒体。
［Ｃ１３６］
前記表示が、前記無認可スペクトル中の構成されたキャリアのサブセットのみをウェイクアップすることである、Ｃ１３３に記載のコンピュータ可読媒体。